【手続補正書】
【提出日】平成16年7月30日(2004.7.30)
【手続補正１】
【補正対象書類名】明細書
【補正対象項目名】発明の名称
【補正方法】変更
【補正の内容】
【発明の名称】情報関連付け方法
【手続補正２】
【補正対象書類名】明細書
【補正対象項目名】特許請求の範囲
【補正方法】変更
【補正の内容】
【特許請求の範囲】
【請求項１】
情報登録装置と情報閲覧装置と情報検索装置とコンピュータネットワークを用いて、媒介情報と、該媒介情報と関連した情報(以下、関連情報)とを関連づける方法であって、
前記情報登録装置では、前記媒介情報を識別するための第１の識別情報と前記関連情報の組を、コンピュータネットワーク経由で情報検索装置に送信し、
該情報検索装置は、受信した前記第１の識別情報と前記関連情報の組をデータベースに登録し、
前記情報閲覧装置では、前記媒介情報を識別するための第２の識別情報をコンピュータネットワーク経由で情報検索装置に送信し、
該情報検索装置では、受信した該第２の識別情報とデータベースに登録された前記第１の識別情報とを照合して両者が一致した場合に、該第１の識別情報と組をなす前記関連情報をコンピュータネットワーク経由で情報閲覧装置に送信することを特徴とする情報関連付け方法。
【請求項２】
請求項１記載の情報関連付け方法において、
前記媒介情報は画像を含む情報であり、前記情報登録装置では前記第１の識別情報とともに前記画像の一部あるいは全体を指し示す第１の画面情報をコンピュータネットワーク経由で前記情報検索装置に送信し、
該情報検索装置は、受信した前記第１の識別情報と前記第１の画面情報と前記関連情報の組を前記データベースに登録し、
前記情報閲覧装置では前記第２の識別情報とともに前記画像の一部あるいは全体を指し示す第２の画面情報をコンピュータネットワーク経由で前記情報検索装置に送信し、
該情報検索装置では、受信した該第２の識別情報とデータベースに登録された前記第１の識別情報と、および受信した該第２の画面情報とデータベースに登録された前記第１の画面情報を照合して、両者が一致した場合に、前記第１の識別情報および第１の画面情報と組をなす前記関連情報をコンピュータネットワーク経由で情報閲覧装置に送信することを特徴とする、情報関連付け方法。
【請求項３】
請求項１または請求項２記載の情報関連付け方法において、
前記媒介情報はテレビジョン放送によって伝送された画像情報であり、前記識別情報は、該テレビジョン放送の放送チャンネル番号と放送時刻を含み、さらに前記テレビジョン放送がローカル放送(地域限定放送)の場合には受信地域を含むことを特徴とする情報関連付け方法。
【請求項４】
請求項１または請求項２記載の情報関連付け方法において、
前記関連情報はインターネットホームページを指し示すURL(Uniform Resource Locator)を含むことを特徴とする情報関連付け方法。
【請求項５】
媒介情報と関連情報とを関連づける情報装置であって、
前記媒介情報を取得する手段と、該取得した媒介情報から媒介情報の識別情報を取得する手段と、該識別情報をコンピュータネットワーク経由で送信する手段と、コンピュータネットワーク経由で関連情報を受信する手段と、受信した関連情報を出力する手段を備えたことを特徴とする情報装置。
【請求項６】
媒介情報と関連情報とを関連づける情報装置であって、
前記媒介情報を取得する手段と、前記媒介情報の識別情報を取得する手段と、該識別情報と組をなす関連情報を取得する手段と、該識別情報と関連情報の組をコンピュータネットワーク経由で送信する手段を備えたことを特徴とする情報装置。
【請求項７】
請求項５又は６記載の情報装置において、
前記媒介情報はテレビジョン放送によって伝送された画像情報であり、前記識別情報を取得する手段は、放送チャンネル番号と放送時刻を取得し、さらに前記テレビジョン放送がローカル放送(地域限定放送)の場合には受信地域を取得する手段であることを特徴とする情報装置。
【請求項８】
請求項５乃至７の何れかに記載の情報装置において、
前記テレビジョン放送によって伝送された画像の一部あるいは全体を指し示す画面情報を取得する手段と、該画面情報を前記識別情報および関連情報と組をなす情報としてコンピュータネットワーク経由で送信する手段を備えたことを特徴とする情報装置。
【請求項９】
請求項５乃至８の何れかに記載の情報装置において、
前記媒介情報を記録し再生するタイムシフト手段を備えたことを特徴とする情報装置。
【請求項１０】
媒介情報と関連付けられた関連情報を検索する情報検索装置であって、
コンピュータネットワーク経由で第１の識別情報と関連情報の組を入力する手段と、前記第１の識別情報と前記関連情報の組をデータベース化して記録する記録手段と、コンピュータネットワーク経由で第２の識別情報を入力する手段と、前記第１と第２の識別情報を照合する照合手段と、照合の結果両者が一致した場合に、該第１の識別情報と組をなす前記関連情報を前記第２の識別情報の送信者(以下、閲覧者)に対してコンピュータネットワーク経由で送信する手段を備えたことを特徴とする情報検索装置。
【請求項１１】
請求項１０記載の情報検索装置において、
前記媒介情報はテレビジョン放送によって伝送された画像情報であり、前記テレビジョン放送によって伝送された画像の一部あるいは全体を指し示す第１の画面情報をコンピュータネットワーク経由で入力する手段を備え、前記記録手段は前記第１の画面情報と前記第１の識別情報と前記関連情報を組としてデータベース化して記録し、
前記テレビジョン放送によって伝送された画像の一部あるいは全体を指し示す第２の画面情報をコンピュータネットワーク経由で入力する手段を備え、
前記照合手段は、前記第１と第２の画面情報の照合を前記第１と第２の識別情報の照合とともに行うことを特徴とする情報検索装置。
【請求項１２】
請求項１０または請求項１１記載の情報検索装置において、
前記第１と第２の識別情報を照合した結果、両者が一致しない場合には、一致する情報が登録されていないことを通知するための情報を照合結果として送信するように制御する手段を備えたことを特徴とする情報検索装置。
【請求項１３】
請求項１０または請求項１１記載の情報検索装置において、
前記第２の識別情報の送信者（以下、閲覧者）の閲覧者情報をデータベース化して記録する手段を備え、前記第１と第２の識別情報を照合した結果、両者が一致した場合には、前記第１の識別情報の送信者に対して前記閲覧者情報をコンピュータネットワーク経由で送信する手段を備えたことを特徴とする情報検索装置。
【請求項１４】
媒介情報と関連情報のリンク登録を行う際に課金する課金方法であって、
前記媒介情報と前記関連情報とのリンク量に応じて課金料金を定めることを特徴とする課金方法。
【請求項１５】
請求項１４記載の課金方法において、
前記媒介情報はテレビジョン放送によって伝送された画像情報であり、前記リンク量とはリンク登録された画面範囲の総和であることを特徴とする課金方法。
【請求項１６】
媒介情報を入力する手順と、前記媒介情報の識別情報を取得する手順と、該媒介情報と関連した関連情報を取得する手順と、前記取得した識別情報と関連情報をコンピュータネットワーク経由で送信する手順をコンピュータに実行させるためのプログラム。
【請求項１７】
媒介情報を入力する手順と、前記媒介情報の識別情報を取得する手順と、該識別情報をコンピュータネットワーク経由で送信する手順と、該識別情報と関連する関連情報をコンピュータネットワーク経由で受信する手順と、受信した関連情報を出力する手順をコンピュータに実行させるためのプログラム。